(57)【要約】【課題】  円盤状回転体の一方の平面に発光装置、液晶表示装置、または通信装置を備えることにより、照明光源、表示面、または通信装置として機能することが可能な円盤状回転体を提供する。【解決手段】  円盤状回転体１は、２つの平面を有し回転駆動装置に回転孔１ｈを係止して回転することが可能な構成としてある。円盤状回転体１の平面１ｆは、発光部１１、発光部１１に電力を供給する電源部１２を有する発光装置を備えている。発光部１１は電源部１２により電力を供給されることから確実な発光が可能となるので、表示または照明が可能な光源となる。【選択図】  図１
2006309894.tif 000002
【特許請求の範囲】
【請求項１】
２つの平面を有し回転駆動装置により回転する円盤状回転体において、
発光部および該発光部に電力を供給する電源部を一方の平面に有する発光装置を備えることを特徴とする円盤状回転体。
【請求項２】
前記発光部は、同一色を発光する半導体発光素子で構成してあることを特徴とする請求項１に記載の円盤状回転体。
【請求項３】
前記発光部は、それぞれ異なる色を発光する複数の半導体発光素子で構成してあることを特徴とする請求項１に記載の円盤状回転体。
【請求項４】
前記複数の半導体発光素子は、赤色を発光する赤色半導体発光素子、緑色を発光する緑色半導体発光素子、および青色を発光する青色半導体発光素子であることを特徴とする請求項３に記載の円盤状回転体。
【請求項５】
前記発光部は、円盤状回転体の半径方向で複数の半導体発光素子を直線状に配置したライン状ユニットを備えることを特徴とする請求項１に記載の円盤状回転体。
【請求項６】
前記ライン状ユニットは、同一色を発光する複数の半導体発光素子で構成してあることを特徴とする請求項５に記載の円盤状回転体。
【請求項７】
前記ライン状ユニットは、赤色を発光する赤色半導体発光素子、緑色を発光する緑色半導体発光素子、および青色を発光する青色半導体発光素子を備えることを特徴とする請求項５に記載の円盤状回転体。
【請求項８】
前記ライン状ユニットは、赤色を発光する赤色ライン状ユニット、緑色を発光する緑色ライン状ユニット、および青色を発光する青色ライン状ユニットで構成した３本のライン状ユニットであることを特徴とする請求項７に記載の円盤状回転体。
【請求項９】
前記３本のライン状ユニットは、相互に近接配置してあることを特徴とする請求項８に記載の円盤状回転体。
【請求項１０】
前記３本のライン状ユニットは、円盤状回転体の円周上で等間隔に配置してあることを特徴とする請求項８に記載の円盤状回転体。
【請求項１１】
前記３本のライン状ユニットは、それぞれ複数配置してあることを特徴とする請求項９または請求項１０に記載の円盤状回転体。
【請求項１２】
前記半導体発光素子は、半導体発光ダイオードであることを特徴とする請求項２ないし請求項１１のいずれか一つに記載の円盤状回転体。
【請求項１３】
前記発光部は、半導体レーザと該半導体レーザからの光を導光して拡散する帯状の拡散板で構成されたレーザユニットを備えることを特徴とする請求項１に記載の円盤状回転体。
【請求項１４】
前記レーザユニットは、複数配置してあることを特徴とする請求項１３に記載の円盤状回転体。
【請求項１５】
前記発光装置は、前記電源部と前記発光部との間に前記発光部の発光を制御する制御部を備えることを特徴とする請求項１ないし請求項１４のいずれか一つに記載の円盤状回転体。
【請求項１６】
前記制御部は、残像現象が発生する周期で前記発光部の発光を制御する構成としてあることを特徴とする請求項１５に記載の円盤状回転体。
【請求項１７】
前記発光装置は、円盤状回転体の回転数を検出する回転数検出器を備えてあり、前記制御部は前記回転数に応じて前記発光部の発光を制御する構成としてあることを特徴とする請求項１５に記載の円盤状回転体。
【請求項１８】
２つの平面を有し回転駆動装置により回転する円盤状回転体において、
液晶表示部および該液晶表示部に電力を供給する電源部を一方の平面に有する液晶表示装置を備えることを特徴とする円盤状回転体。
【請求項１９】
前記液晶表示部は、円盤状回転体の半径方向に直線状に配置してあることを特徴とする請求項１８に記載の円盤状回転体。
【請求項２０】
前記液晶表示装置は、前記電源部と前記液晶表示部との間に前記液晶表示部の表示を制御する制御部を備えることを特徴とする請求項１８または請求項１９に記載の円盤状回転体。
【請求項２１】
前記制御部は、残像現象が発生する周期で前記液晶表示部の表示を制御する構成としてあることを特徴とする請求項２０に記載の円盤状回転体。
【請求項２２】
前記液晶表示装置は、円盤状回転体の回転数を検出する回転数検出器を備えてあり、前記制御部は前記回転数に応じて前記液晶表示部の表示を制御する構成としてあることを特徴とする請求項２０に記載の円盤状回転体。
【請求項２３】
２つの平面を有し回転駆動装置により回転する円盤状回転体において、
電波を受信するアンテナと、該アンテナからの電波信号を処理する信号処理部と、該信号処理部での処理結果を表示する発光部と、前記信号処理部に電力を供給する電源部とを一方の平面に有する通信装置を備えることを特徴とする円盤状回転体。
【請求項２４】
前記発光部は、請求項２ないし請求項１４のいずれか一つに記載の発光部であることを特徴とする請求項２３に記載の円盤状回転体。
【請求項２５】
２つの平面を有し回転駆動装置により回転する円盤状回転体において、
電波を受信するアンテナと、該アンテナからの電波信号を処理する信号処理部と、該信号処理部での処理結果を表示する液晶表示部と、前記信号処理部に電力を供給する電源部とを一方の平面に有する通信装置を備えることを特徴とする円盤状回転体。
【請求項２６】
前記液晶表示部は前記処理結果をピット情報として表示することを特徴とする請求項２５に記載の円盤状回転体。
【請求項２７】
前記電源部は、誘導起電力を発生する誘導コイルを備えることを特徴とする請求項１、請求項１８、請求項２３または請求項２５に記載の円盤状回転体。
【請求項２８】
前記電源部は、光起電力を発生する太陽電池を備えることを特徴とする請求項１、請求項１８、請求項２３または請求項２５に記載の円盤状回転体。
【請求項２９】
前記太陽電池は、薄膜太陽電池であることを特徴とする請求項２８に記載の円盤状回転体。
【請求項３０】
前記一方の平面と反対側の平面に光学的読み取りが可能な光学層を設けてあることを特徴とする請求項１ないし請求項２９のいずれか一つに記載の円盤状回転体。
【請求項３１】
２つの平面を有する円盤状回転体を回転する回転駆動装置を備え、円盤状回転体の一方の平面を視認できる構成としてある回転可視装置であって、
前記円盤状回転体は、請求項１ないし請求項３０のいずれか一つに記載の円盤状回転体であることを特徴とする回転可視装置。
【請求項３２】
情報を光学的に読み取ることができる光学層が設けてある円盤状回転体を回転して前記光学層に記録してある情報を再生する再生装置において、
前記円盤状回転体は請求項３０に記載の円盤状回転体であり、前記情報を再生するときに前記一方の平面を外部から視認できる構成としてあることを特徴とする再生装置。
【請求項３３】
前記情報を再生するときに、前記一方の平面は前記情報の内容を表示する構成としてあることを特徴とする請求項３２に記載の再生装置。
【請求項３４】
情報を光学的に読み取ることができる光学層が設けてある円盤状回転体を回転して前記光学層に記録してある情報を再生する再生方法において、
前記円盤状回転体は請求項３０に記載の円盤状回転体であり、前記情報を再生するときに前記一方の平面に前記情報の内容を表示することを特徴とする再生方法。
【発明の詳細な説明】
【技術分野】
【０００１】
本発明は、照明、表示、通信などが可能な円盤状回転体、このような円盤状回転体を利用する回転可視装置、情報が記録され光学的読み取りが可能な光学層を設けてある円盤状回転体から情報を再生する再生装置および再生方法に関する。
【背景技術】
【０００２】
従来の円盤状回転体として、音楽を記録したＣＤ、コンピュータデータを記録したＣＤ−ＲＯＭ、映像を記録したＤＶＤなど（いわゆる光ディスク）がある。これらの円盤状回転体は、２つの平面の内、一方の平面に光学的記録層（光学層）を有し、光学層に情報が記録される。記録された情報を光学層から読み取ることにより、情報の再生を行うことができる。
【０００３】
円盤状回転体（光ディスク）では、光学層を有しない他方の平面に適宜のパッケージデザインが施されるが、再生状態（回転状態）ではパッケージデザインを視認することは困難であり、パッケージデザインは保管時での単なる識別標識に過ぎず、再生時での実用性は全くないのが実態である（例えば、特許文献１参照。）。
【特許文献１】特開２００４−７２４３７号公報
【発明の開示】
【発明が解決しようとする課題】
【０００４】
本発明はこのような状況に鑑みてなされたものであり、円盤状回転体の一方の平面に発光装置、液晶表示装置、または通信装置を備えることにより、照明光源、表示面、または通信装置として機能することが可能な円盤状回転体を提供することを目的とする。
【０００５】
また、本発明は、本発明に係る円盤状回転体を回転駆動して照明光源、表示面、または通信装置として機能させることが可能な回転可視装置を提供することを他の目的とする。
【０００６】
また、本発明は、情報を光学的に読み取ることが可能な光学層を設けてある円盤状回転体で光学層が形成してある平面と反対の平面に、発光装置、液晶表示装置、または通信装置を備えることにより、光ディスクとして機能すると共に照明光源、表示面、または通信装置として機能することとが可能な円盤状回転体を提供することを他の目的とする。
【０００７】
また、本発明は、光学層の情報を再生すると共に、円盤状回転体を照明光源、表示面、または通信装置として機能させ、また、再生時に再生内容を表示することが可能な再生装置、再生方法を提供することを他の目的とする。
【課題を解決するための手段】
【０００８】
本発明に係る円盤状回転体１は、２つの平面を有し回転駆動装置により回転する円盤状回転体において、発光部および該発光部に電力を供給する電源部を一方の平面に有する発光装置を備えることを特徴とする。
【０００９】
この構成により、電力供給による確実な発光が可能となり、表示または照明が可能な円盤状回転体となる。
【００１０】
本発明に係る円盤状回転体では、前記発光部は、同一色を発光する半導体発光素子で構成してあることを特徴とする。この構成により、特定の色を発光することが可能な円盤状回転体となる。
【００１１】
本発明に係る円盤状回転体では、前記発光部は、それぞれ異なる色を発光する複数の半導体発光素子で構成してあることを特徴とする。この構成により、混色状態での発光が可能な円盤状回転体となる。
【００１２】
本発明に係る円盤状回転体では、前記複数の半導体発光素子は、赤色を発光する赤色半導体発光素子、緑色を発光する緑色半導体発光素子、および青色を発光する青色半導体発光素子であることを特徴とする。この構成により、混色が可能となり、白色、フルカラーの発光、表示が可能な円盤状回転体となる。
【００１３】
本発明に係る円盤状回転体では、前記発光部は、円盤状回転体の半径方向で複数の半導体発光素子を直線状に配置したライン状ユニットを備えることを特徴とする。この構成により、半径方向の長さに等しい幅を有するドーナッツ状の発光が可能な円盤状回転体となる。また、複数の半導体発光素子を異なる発光色のものとすれば、混色状態に応じた色の発光が可能な円盤状回転体となる。
【００１４】
本発明に係る円盤状回転体では、前記ライン状ユニットは、同一色を発光する複数の半導体発光素子で構成してあることを特徴とする。この構成により、特定の色でドーナッツ状の発光が可能な円盤状回転体となる。
【００１５】
本発明に係る円盤状回転体では、前記ライン状ユニットは、赤色を発光する赤色半導体発光素子、緑色を発光する緑色半導体発光素子、および青色を発光する青色半導体発光素子を備えることを特徴とする。この構成により、混色が可能となり、白色、フルカラーの発光、表示が可能で高輝度の円盤状回転体となる。
【００１６】
本発明に係る円盤状回転体では、前記ライン状ユニットは、赤色を発光する赤色ライン状ユニット、緑色を発光する緑色ライン状ユニット、および青色を発光する青色ライン状ユニットで構成した３本のライン状ユニットであることを特徴とする。この構成により、混色が可能となり、白色、フルカラーの発光、表示が可能で、高輝度のドーナッツ状の発光が可能な円盤状回転体となる。
【００１７】
本発明に係る円盤状回転体では、前記３本のライン状ユニットは、相互に近接配置してあることを特徴とする。この構成により、混色が可能となり、白色、フルカラーの発光、表示が可能で、高輝度のドーナッツ状の発光が可能な円盤状回転体となる。また、近接配置することから、実装が容易な円盤状回転体となる。
【００１８】
本発明に係る円盤状回転体では、前記３本のライン状ユニットは、円盤状回転体の円周上で等間隔に配置してあることを特徴とする。本発明に係る円盤状回転体では、前記３本のライン状ユニットは、それぞれ複数配置してあることを特徴とする。この構成により、混色が可能となり、白色、フルカラーの発光、表示が可能で、高輝度のドーナッツ状の発光が可能な円盤状回転体となる。
【００１９】
本発明に係る円盤状回転体では、前記半導体発光素子は、半導体発光ダイオードであることを特徴とする。この構成により、小型で、低消費電力、高輝度が可能な円盤状回転体となる。
【００２０】
本発明に係る円盤状回転体では、前記発光部は、半導体レーザと該半導体レーザからの光を導光して拡散する帯状の拡散板で構成されたレーザユニットを備えることを特徴とする。この構成により、特定の波長の発光が可能な円盤状回転体となり、また、半導体発光素子の個数を低減することが可能となる。
【００２１】
本発明に係る円盤状回転体では、前記レーザユニットは、複数配置してあることを特徴とする。この構成により、高輝度が可能な円盤状回転体となる。
【００２２】
本発明に係る円盤状回転体では、前記発光装置は、前記電源部と前記発光部との間に前記発光部の発光を制御する制御部を備えることを特徴とする。この構成により、表示態様の制御が可能な円盤状回転体となる、
本発明に係る円盤状回転体では、前記制御部は、残像現象が発生する周期で前記発光部の発光を制御する構成としてあることを特徴とする。この構成により、視認性が向上した円盤状回転体となる。
【００２３】
本発明に係る円盤状回転体では、前記発光装置は、円盤状回転体の回転数を検出する回転数検出器を備えてあり、前記制御部は前記回転数に応じて前記発光部の発光を制御する構成としてあることを特徴とする。この構成により、回転数の変更に対応することができるので、安定した発光面、表示面（表示パターン）の確保が可能な円盤状回転体となる。
【００２４】
本発明に係る円盤状回転体では、２つの平面を有し回転駆動装置により回転する円盤状回転体において、液晶表示部および該液晶表示部に電力を供給する電源部を一方の平面に有する液晶表示装置を備えることを特徴とする。この構成により、液晶表示装置の画素は、ＬＥＤに比較して小さくすることができるので、より精細な表示が可能な円盤状回転体となる。
【００２５】
本発明に係る円盤状回転体では、前記液晶表示部は、円盤状回転体の半径方向に直線状に配置してあることを特徴とする。この構成により、半径方向の長さに等しい幅を有するドーナッツ状の表示面とすることが可能な円盤状回転体となる。
【００２６】
本発明に係る円盤状回転体では、前記液晶表示装置は、前記電源部と前記液晶表示部との間に前記液晶表示部の表示を制御する制御部を備えることを特徴とする。この構成により、表示態様の制御が可能な円盤状回転体となる。
【００２７】
本発明に係る円盤状回転体では、前記制御部は、残像現象が発生する周期で前記液晶表示部の表示を制御する構成としてあることを特徴とする。この構成により、視認性が向上した円盤状回転体となる。
【００２８】
本発明に係る円盤状回転体では、前記液晶表示装置は、円盤状回転体の回転数を検出する回転数検出器を備えてあり、前記制御部は前記回転数に応じて前記液晶表示部の表示を制御する構成としてあることを特徴とする。この構成により、回転数の変更に対応することができるので、安定した発光面、表示面（表示パターン）の確保が可能な円盤状回転体となる。
【００２９】
本発明に係る円盤状回転体では、２つの平面を有し回転駆動装置により回転する円盤状回転体において、電波を受信するアンテナと、該アンテナからの電波信号を処理する信号処理部と、該信号処理部での処理結果を表示する発光部と、前記信号処理部に電力を供給する電源部とを一方の平面に有する通信装置を備えることを特徴とする。この構成により、外部との通信を容易に行うことができ、通信内容を表示することが可能な円盤状回転体となる。
【００３０】
本発明に係る円盤状回転体では、前記発光部は、半導体発光素子で構成してあることを特徴とする。この構成により、小型で低消費電力の安定した発光、表示が可能な円盤状回転体となる。
【００３１】
本発明に係る円盤状回転体では、２つの平面を有し回転駆動装置により回転する円盤状回転体において、電波を受信するアンテナと、該アンテナからの電波信号を処理する信号処理部と、該信号処理部での処理結果を表示する液晶表示部と、前記信号処理部に電力を供給する電源部とを一方の平面に有する通信装置を備えることを特徴とする。この構成により、より精細な表示が可能な円盤状回転体となる。
【００３２】
本発明に係る円盤状回転体では、前記液晶表示部は前記処理結果をピット情報として表示することを特徴とする。この構成により、ピット情報を外部から読み取ることが可能な円盤状回転体となる。
【００３３】
本発明に係る円盤状回転体では、前記電源部は、誘導起電力を発生する誘導コイルを備えることを特徴とする。この構成により、回転可視装置に装着して回転することにより誘導起電力が発生することから円盤状回転体に設けられた発光装置、液晶表示装置、通信装置を自動的に立ち上げることが可能な円盤状回転体となる。
【００３４】
本発明に係る円盤状回転体では、前記電源部は、光起電力を発生する太陽電池を備えることを特徴とする。この構成により、円盤状回転体に設けられた発光装置、液晶表示装置、通信装置に対して容易に電力を供給することが可能な円盤状回転体となる。
【００３５】
本発明に係る円盤状回転体では、前記太陽電池は、薄膜太陽電池であることを特徴とする。この構成により、電源の軽量化、薄膜化が可能な円盤状回転体となる。
【００３６】
本発明に係る円盤状回転体では、前記一方の平面と反対側の平面に光学的読み取りが可能な光学層を設けてあることを特徴とする。この構成により、光ディスクを再生したときに、光ディスクの平面（光学層が形成してある面と反対の平面）により発光、表示が可能となる。
【００３７】
本発明に係る回転可視装置は、２つの平面を有する円盤状回転体を回転する回転駆動装置を備え、円盤状回転体の一方の平面を視認できる構成としてある回転可視装置であって、前記円盤状回転体は、本発明に係る円盤状回転体であることを特徴とする。この構成により、本発明に係る円盤状回転体を用いた発光、表示、通信が可能となる。
【００３８】
本発明に係る再生装置は、情報を光学的に読み取ることができる光学層が設けてある円盤状回転体を回転して前記光学層に記録してある情報を再生する再生装置において、前記円盤状回転体は請求項３０に記載の円盤状回転体であり、前記情報を再生するときに前記一方の平面を外部から視認できる構成としてあることを特徴とする。この構成により、円盤状回転体による発光、表示、通信が可能となる。
【００３９】
本発明に係る再生装置は、前記情報を再生するときに、前記一方の平面は前記情報の内容を表示する構成としてあることを特徴とする。この構成により、制御部を有する円盤状回転体では、表示パターンにより情報の内容を表示することが可能となる。表示の内容は、例えば、ＣＤでは曲名であり、ＤＶＤでは再生チャプタ、また、通信装置を備える記録再生用のディスクでは残り容量および使用済み容量とすることができる。
【００４０】
本発明に係る再生方法は、情報を光学的に読み取ることができる光学層が設けてある円盤状回転体を回転して前記光学層に記録してある情報を再生する再生方法において、前記円盤状回転体は本発明に係る円盤状回転体であり、前記情報を再生するときに前記一方の平面に前記情報の内容を表示することを特徴とする。この構成により、再生時に、再生内容に関連する情報を表示することが可能となる。
【発明の効果】
【００４１】
本発明に係る円盤状回転体によれば、円盤状回転体の一方の平面に発光装置、液晶表示装置、または通信装置を備えることにより、照明光源、表示面、または通信装置として機能することが可能な円盤状回転体を実現でき、例えば光ディスクでは、光学層に記録された内容を再生するときに、再生内容を適宜表示することが可能になるという効果を奏する。
【００４２】
本発明に係る回転可視装置によれば、本発明に係る円盤状回転体を回転駆動することにより、円盤状回転体を照明光源、表示面、または通信装置として機能させることが可能になるという効果を奏する。また、情報を光学的に読み取ることが可能な光学層を設けてある円盤状回転体を駆動することにより、情報の再生と同時に円盤状回転体を照明光源、表示面、または通信装置として機能させることが可能になるという効果を奏する。
【００４３】
本発明に係る再生装置、再生方法によれば、情報を光学的に読み取ることが可能な光学層を設けてある円盤状回転体の光学層の情報を再生する際に、円盤状回転体を照明光源、表示面、または通信装置として機能させることが可能になり、また、再生内容を表示することが可能になるという効果を奏する。
【発明を実施するための最良の形態】
【００４４】
以下、本発明の実施の形態を図面に基づいて説明する。
【００４５】
＜実施の形態１＞
図１は、本発明の実施の形態１に係る円盤状回転体の一方の平面に設けられた発光装置の配置概要を示す平面図である。
【００４６】
円盤状回転体１は、２つの平面を有し回転駆動装置（不図示）に回転孔１ｈを係止して回転することが可能な構成としてある。同図では、２つの平面の内、発光装置を備える一方の平面１ｆを図示している。つまり、円盤状回転体１の平面１ｆは、発光部１１、発光部１１に電力を供給する電源部１２を有する発光装置を備えている。発光部１１は電源部１２により電力を供給されることから確実な発光が可能となるので、表示または照明が可能な光源となる。なお、配線は適宜図示を省略してある。
【００４７】
発光部１１は、例えば、半導体発光ダイオード（ＬＥＤ：Ｌｉｇｈｔ  Ｅｍｉｔｔｉｎｇ  Ｄｉｏｄｅ）のような半導体発光素子１３で構成してあり、小型で高輝度、低消費電力の発光が可能となる。表示または照明に必要となる輝度を実現するのに必要な個数の半導体発光素子１３を例えば扇状に配置してある。
【００４８】
発光部１１は、適宜の配線パターンを形成されたフレキシブルフィルム配線基板（不図示）に半導体発光素子１３を実装し、フレキシブルフィルム配線基板を円盤状回転体１に接着（貼り付け）することにより形成することができる。なお、円盤状回転体１の平面１ｆに予め配線を形成することにより、直接円盤状回転体１に直接実装する形態とすることも可能である。
【００４９】
半導体発光素子１３は、すべて同一色を発光する素子としても良いし、それぞれ異なる色を発光する素子としても良い。同一色を発光する素子とした場合には、特定の色による発光（表示または照明）面とすることが可能となる。また、異なる色を発光する素子とした場合には、混色状態での発光（表示または照明）面とすることが可能となる。
【００５０】
半導体発光素子１３は、赤色を発光する赤色半導体発光素子１３Ｒ、緑色を発光する緑色半導体発光素子１３Ｇ、および青色を発光する青色半導体発光素子１３Ｂ（以下、発光色を区別する必要がない場合には単に半導体発光素子１３とする。）で構成しても良く、このような光の３原色を発光する半導体発光素子１３（赤色半導体発光素子１３Ｒ、緑色半導体発光素子１３Ｇ、青色半導体発光素子１３Ｂ）で構成した場合には、フルカラーへの対応が可能となり、また混色により白色を構成することが可能な円盤状回転体１となる。
【００５１】
赤色半導体発光素子１３Ｒ、緑色半導体発光素子１３Ｇ、青色半導体発光素子１３Ｂは各１個ずつ近接配置して１組としたもの（グループ化したもの）を複数組、表示内容に対応させて適宜配置することも可能である。
【００５２】
電源部１２は、太陽電池１４ｓが発生した光起電力を適宜の電圧に変換して発光部１１に電力を供給する。太陽電池１４ｓとすることにより、円盤状回転体１への実装が容易となり、容易に電力を供給することができる。太陽電池１４ｓは、薄膜太陽電池であることが軽量化、薄膜化の観点からより好ましい。
【００５３】
電源部１２は、適宜の集積回路チップ（ＩＣチップ）、電子部品チップをフレキシブルフィルム配線基板上に実装し、フレキシブルフィルム配線基板を円盤状回転体１に接着することにより構成することができる。また、円盤状回転体１の平面１ｆに予め形成した配線に実装して構成することも可能である。
【００５４】
発光部１１、電源部１２、太陽電池１４ｓは適宜の配線（不図示）を介して接続してある。配線は例えばフレキシブルフィルム配線基板により構成することができる。フレキシブルフィルム配線基板を円盤状回転体１に接着することにより容易に形成することが可能となる。また、円盤状回転体１の平面１ｆに予め形成した配線により接続することも可能である。
【００５５】
発光部１１、電源部１２、太陽電池１４ｓを併せて実装するようにフレキシブルフィルム配線基板を一体化することも可能であり、また、一体化したフレキシブルフィルム配線基板は円盤状回転体１とほぼ同一の形状として、円盤状回転体１に貼り付けることも可能である。
【００５６】
発光部１１、電源部１２、太陽電池１４ｓの実装により、円盤状回転体１の重心が偏心することがあるが、適宜重心バランサを設けることも可能である。
【００５７】
円盤状回転体１は、平面１ｆと反対の平面に光学的読み取りが可能な情報を記録した光学層を備える光ディスクであっても良い。光ディスクとした場合には、再生時に光ディスクの内容に対応させた適宜の表示を行うことができる。なお、光学層は磁気光学層であっても良いことは言うまでもない。
【００５８】
光ディスクに発光装置を実装する場合には、光学層への影響を排除する必要があることから、光学装置を実装したフレキシブルフィルム配線基板を低温で接着可能な接着剤で平面１ｆに接着することが好ましい。なお、適用可能な光ディスクとして、音楽再生用のＣＤ（コンパクトディスク）、映像再生用のＤＶＤ（多用途光ディスク）などがある。
【００５９】
なお、以下の実施の形態でも円盤状回転体１を光ディスクとして構成できることは言うまでもない。
【００６０】
＜実施の形態２＞
図２は、本発明の実施の形態２に係る円盤状回転体の一方の平面に設けられた発光装置の配置概要を示す平面図である。実施の形態１と同一の構成には同一の符号を付して適宜説明を省略する。
【００６１】
本実施の形態では、発光部１１を、円盤状回転体１の半径方向で複数の半導体発光素子１３を直線状に配置してライン状ユニット１５として構成している。これにより、半径方向の長さに応じた幅を有するドーナッツ状の発光面（照明、表示）とすることが可能となる。
【００６２】
ライン状ユニット１５は、同一色を発光する半導体発光素子１３で構成しても良く、異なる色を発光する半導体発光素子１３で構成しても良い。同一色を発光する半導体発光素子１３で構成した場合には、特定の色でドーナッツ状に発光する円盤状回転体１となり、異なる色を発光する半導体発光素子１３で構成した場合には、混色状態に応じた色で発光する円盤状回転体１となる。つまり、半導体発光素子１３の発光色の組み合わせは、発光パターンに応じて適宜設定することが可能である。
【００６３】
＜実施の形態３＞
図３は、本発明の実施の形態３に係る円盤状回転体の一方の平面に設けられた発光装置の配置概要を示す平面図である。実施の形態１、実施の形態２と同一の構成には同一の符号を付して適宜説明を省略する。
【００６４】
本実施の形態では、ライン状ユニット１５は、半径方向で交互に繰り返して配置された赤色半導体発光素子１３Ｒ、緑色半導体発光素子１３Ｇ、青色半導体発光素子１３Ｂにより構成している。この構成により、フルカラー、または３原色を混色したドーナッツ状の発光が可能となる。
【００６５】
同図では、赤色半導体発光素子１３Ｒ、緑色半導体発光素子１３Ｇ、青色半導体発光素子１３Ｂを半径方向で繰り返し配置しているが、赤色半導体発光素子１３Ｒ、緑色半導体発光素子１３Ｇ、青色半導体発光素子１３Ｂを円周方向に１個ずつ並置して１組とし、この１組を半径方向に複数繰り返し配置する形態とすることも可能である。
【００６６】
＜実施の形態４＞
図４は、本発明の実施の形態４に係る円盤状回転体の一方の平面に設けられた発光装置の配置概要を示す平面図である。実施の形態１ないし実施の形態３と同一の構成には同一の符号を付して適宜説明を省略する。
【００６７】
本実施の形態では、ライン状ユニット１５は、赤色半導体発光素子１３Ｒで構成された赤色ライン状ユニット１５Ｒ、緑色半導体発光素子１３Ｇで構成された緑色ライン状ユニット１５Ｇ、青色半導体発光素子１３Ｂで構成された青色ライン状ユニット１５Ｂにより構成してある（以下、赤色ライン状ユニット１５Ｒ、緑色ライン状ユニット１５Ｇ、青色ライン状ユニット１５Ｂを区別する必要がない場合には単にライン状ユニット１５とする。）。
【００６８】
赤色ライン状ユニット１５Ｒ、緑色ライン状ユニット１５Ｇ、青色ライン状ユニット１５Ｂで構成される３本のライン状ユニット１５は、円盤状回転体１の円周上で等間隔に配置され、発光部１１を構成することとなる。この構成により、フルカラー、または３原色を混色したより大きい発光強度のドーナッツ状の発光面とすることが可能となる。
【００６９】
なお、適宜の制御部１６（実施の形態７、実施の形態８参照）を用いることにより、３本のライン状ユニット１５の内、１本のみを利用して単色として発光させることも可能である。
【００７０】
＜実施の形態５＞
図５は、本発明の実施の形態５に係る円盤状回転体の一方の平面に設けられた発光装置の配置概要を示す平面図である。実施の形態１ないし実施の形態４と同一の構成には同一の符号を付して適宜説明を省略する。
【００７１】
本実施の形態では、赤色ライン状ユニット１５Ｒ、緑色ライン状ユニット１５Ｇ、青色ライン状ユニット１５Ｂを近接配置して隣接させてある。この構成により、フルカラー、または３原色混色の程度を大幅に向上したより大きい発光強度のドーナッツ状の発光面とすることが可能となる。また、密接して実装することから、実装が極めて容易になり製造が容易である。
【００７２】
＜実施の形態６＞
図６は、本発明の実施の形態６に係る円盤状回転体の一方の平面に設けられた発光装置の配置概要を示す平面図である。実施の形態１ないし実施の形態５と同一の構成には同一の符号を付して適宜説明を省略する。
【００７３】
本実施の形態では、実施の形態４でのライン状ユニット１５の配置を複数（ここでは２）繰り返す構成としてある。したがって、赤色ライン状ユニット１５Ｒが２本、緑色ライン状ユニット１５Ｇが２本、青色ライン状ユニット１５Ｂが２本、合計６本のライン状ユニット１５が円盤状回転体１の円周上に均等に配置してある。この構成によれば、半導体発光素子１３の配置密度が向上することから、混色性および発光輝度をより向上したドーナッツ状の発光が可能な円盤状回転体１となる。
【００７４】
＜実施の形態７＞
図７は、本発明の実施の形態７に係る円盤状回転体の一方の平面に設けられた発光装置の配置概要を示す平面図である。実施の形態１ないし実施の形態６と同一の構成には同一の符号を付して適宜説明を省略する。
【００７５】
本実施の形態では、実施の形態１の発光装置でさらに、発光部１１と電源部１２との間に発光部１１の発光（点灯）を適宜調整制御する制御部１６を設けている。制御部１６は、例えば発光時間を制御したり、発光周期を制御したりすることができる構成としてある（制御部１６の作用については、実施の形態１０、実施の形態１１参照）。
【００７６】
制御部１６は、適宜の集積回路チップ（ＩＣチップ）、電子部品チップにより構成することが可能であり、発光部１１、電源部１２などと同様に、フレキシブルフィルム配線基板上に実装し、フレキシブルフィルム配線基板を円盤状回転体１に接着することにより構成することができる。また、円盤状回転体１の平面１ｆに予め形成した配線に実装して構成することも可能である。
【００７７】
制御部１６により、人間が視認可能な残像効果を生じさせるように発光周期（発光時間）を制御した場合には、より視認度の高い表示、照明が可能となり、例えばドーナッツ状の表示面を鮮明に構成することができる。また、残像効果を利用してドーナッツ状の表示面とは異なる特定のパターンを認識させることも可能となる。なお、残像効果を生じるには通常６０分の１秒程度の時間で発光させることが必要であり、少なくともこの時間で半導体発光素子１３を発光させるように制御することが可能な構成としてある。
【００７８】
なお、制御部１６は、本実施の形態に限らず、他の実施の形態でも適宜適用することが可能であることは言うまでもない。
【００７９】
＜実施の形態８＞
図８は、本発明の実施の形態８に係る円盤状回転体の一方の平面に設けられた発光装置の配置概要を示す平面図である。実施の形態１ないし実施の形態７と同一の構成には同一の符号を付して適宜説明を省略する。
【００８０】
本実施の形態では、実施の形態７の発光装置でさらに、円盤状回転体１の回転数を検出して制御部１６に回転数信号として入力する回転数検出器１７を設けてあり、制御部１６は、回転数信号により発光時間を調整することができる構成としてある。
【００８１】
回転数検出器１７は、適宜の集積回路チップ（ＩＣチップ）、電子部品チップ、回転検出素子などにより構成することが可能であり、発光部１１、電源部１２などと同様に、フレキシブルフィルム配線基板上に実装し、フレキシブルフィルム配線基板を円盤状回転体１に接着することにより構成することができる。また、円盤状回転体１の平面１ｆに予め形成した配線に実装して構成することも可能である。なお、回転検出素子としては光学式インタラプタなどを用いることが可能である。
【００８２】
回転数に応じて発光時間を調整することが可能となることから、回転数が変化した場合でも同一の表示パターンを表示することが可能となる。また、回転数の変化に伴う発光面の変化を発光時間の調整により補正することが可能となる（回転数検出器１７の作用については、実施の形態１１参照）。
【００８３】
なお、回転数検出器１７は、本実施の形態に限らず、他の実施の形態でも適用することが可能であることは言うまでもない。
【００８４】
＜実施の形態９＞
図９は、本発明の実施の形態９に係る円盤状回転体の一方の平面に設けられた発光装置の配置概要を示す平面図である。実施の形態１ないし実施の形態８と同一の構成には同一の符号を付して適宜説明を省略する。
【００８５】
本実施の形態では、実施の形態２の発光装置でさらに、実施の形態７の制御部１６、実施の形態８の回転数検出器１７を設けてある。制御部１６、回転数検出器１７の構成はそれぞれ実施の形態７、実施の形態８で説明したとおりである（制御部１６、回転数検出器１７の作用については、実施の形態１０、実施の形態１１参照）。
【００８６】
＜実施の形態１０＞
図１０は、図９で示した円盤状回転体での発光を残像効果が生じるように制御部により制御して所望のパターンを表示する本発明の実施の形態１０に係る説明図である。実施の形態１ないし実施の形態９と同一の構成には同一の符号を付して適宜説明を省略する。
【００８７】
ライン状ユニット１５は、例えば１３個の半導体発光素子１３で構成してある。単位時間Ｔｕを５４０分の１秒として、単位時間ＴｕでパターンＰ１、単位時間ＴｕでパターンＰ２、・・・単位時間ＴｕでパターンＰ９として半導体発光素子１３の発光を順次制御部１６により制御する。その結果、パターンＰ１からパターンＰ９までの９パターンを表示する時間は残像効果を生じる時間である６０分の１秒となることから、パターンＰ１からパターンＰ９までの９パターンが残像効果により順次視認されることとなり、例えばパターン「Ｓ」を表示したことと等価の作用、効果が得られる。つまり、制御部１６により半導体発光素子１３の発光時間を制御することにより、結果としてパターン「Ｓ」を表示できることとなる。
【００８８】
本実施の形態は、他の実施の形態でも同様に適用可能であることは言うまでもない。
【００８９】
＜実施の形態１１＞
図１１は、図９で示した円盤状回転体での発光を回転数に応じて発光させるように制御部および回転数検出器により制御して所望のパターンを表示する本発明の実施の形態１１に係る説明図であり、（Ａ）は検出した回転数が３６００ｒｐｍの場合、（Ｂ）は検出した回転数が７２００ｒｐｍの場合を示している。実施の形態１ないし実施の形態１０と同一の構成には同一の符号を付して適宜説明を省略する。
【００９０】
図１１（Ａ）では、回転検出器１７が検出した回転数が３６００ｒｐｍである場合、単位時間Ｔｕを５４０分の１秒とすることにより、実施の形態１０の場合と同様に、パターンＰ１からパターンＰ９までの９パターンを表示する時間を残像効果が生じる時間である６０分の１秒とすることができる。その結果、パターンＰ１からパターンＰ９までの９パターンが残像効果により順次視認されることとなり、パターン「Ｓ」を表示することができる。
【００９１】
図１１（Ｂ）では、回転検出器１７が検出した回転数が７２００ｒｐｍである場合、単位時間Ｔｕを１０８０分の１秒とすることにより、実施の形態１０の場合と同様に、パターンＰ１からパターンＰ９までの９パターンを表示する時間を残像効果が生じる時間である１２０分の１秒とすることができる。その結果、パターンＰ１からパターンＰ９までの９パターンが残像効果により順次視認されることとなり、パターン「Ｓ」を表示することができる。
【００９２】
つまり、回転検出器１７により回転数を検出して、回転数を制御部１６にフィードバックすることができることから、制御部１６により回転数に応じて半導体発光素子１３の発光時間を補正することにより、回転数の状況によらず残像効果を実現して表示パターンの崩れを防止し所定のパターンを表示することが可能となる。
【００９３】
本実施の形態は、他の実施の形態でも同様に適用可能であることは言うまでもない。
【００９４】
＜実施の形態１２＞
図１２は、本発明の実施の形態１２に係る円盤状回転体の一方の平面に設けられた発光装置の配置概要を示す平面図である。実施の形態１ないし実施の形態１１と同一の構成には同一の符号を付して適宜説明を省略する。
【００９５】
実施の形態１ないし実施の形態１１では、発光部１１をＬＥＤのような半導体発光素子１３で構成した。これに対して、本実施の形態では、発光部１１は、半導体発光素子１３をとしての半導体レーザ２０と半導体レーザ２０からの光を半径方向で導光して拡散する帯状の拡散板２１で構成されるレーザユニット２２により構成してある。半導体レーザ２０を用いることから特定の波長での発光が可能となる。
【００９６】
半導体レーザ２０は、円盤状回転体１の半径の小さい内周側に配置し、半径の大きい外周側に向かってレーザ光を放出するようにする。拡散板２１は内周側から外周側まで帯状に構成され、コヒーレント性のあるレーザ光を視認できるように適宜の窪みに半導体レーザ２０を配置し、表面を梨地処理してある。
【００９７】
レーザユニット２２には、複数の半導体レーザ２０を配置することも可能であり、複数の半導体レーザ２０を配置することにより、輝度の向上、混色状態に応じた発光色による発光色の増加を実現することができる。
【００９８】
レーザユニット２２は、複数配置することにより、実施の形態４と同様の発光作用（照明、表示）を実現することが可能である。
【００９９】
なお、制御部１６、回転検出器１７は、実施の形態７ないし実施の形態１１と同様に適用することができるが、逆に実施の形態１ないし実施の形態６のように省略することも可能である。
【０１００】
＜実施の形態１３＞
図１３は、本発明の実施の形態１３に係る円盤状回転体の一方の平面に設けられた液晶表示装置の配置概要を示す平面図である。実施の形態１ないし実施の形態１２と同一の構成には同一の符号を付して適宜説明を省略する。
【０１０１】
円盤状回転体１の平面１ｆは、液晶表示部２５、液晶表示部２５に電力を供給する電源部２６を有する液晶表示装置を備えている。液晶表示部２５は電源部２６により電力を供給されることから確実な表示が可能となる。電源部２６は電源部１２と同様の構成で良いが液晶表示部２５の仕様に合致した仕様に変更してある。液晶表示装置の画素はＬＥＤに比較して小さくすることが可能であることからより精細な表示を行うことが可能となる。
【０１０２】
液晶表示部２５は、円盤状回転体１の半径方向に直線状（帯状）に配置してあり、必要に応じて適宜の画素構成（マトリックス状）としてある。液晶表示部２５は、円盤状回転体１の偏心を防止するため軽量化してあり、例えば有機樹脂で液晶を封止したフィルム液晶とすることが好ましい。
【０１０３】
液晶表示部２５と電源部２６の間に制御部２７を設けることにより、発光部１１の場合と同様に、液晶表示部２５の表示（表示画素）を制御する構成としてある。制御部２７は、制御部１６（実施の形態７、実施の形態８）と同様の構成でよいが、液晶表示部２５の仕様に合致する仕様に変更してある。つまり、制御部２７は、残像効果が発生するように液晶表示部２５の表示を制御する構成としてある。
【０１０４】
また、円盤状回転体１の回転数を回転数検出器１７で検出して回転数に応じて液晶表示部２５の表示を制御する構成とすることも可能である。
【０１０５】
制御部２７、回転数検出器１７を設けることにより、より視認度の高い表示が可能となる。なお、制御部２７、回転数検出器１７を省略して、電源部２５により液晶表示部２５を直接駆動する形態とすることも可能である。
【０１０６】
＜実施の形態１４＞
図１４は、本発明の実施の形態１４に係る円盤状回転体の一方の平面に設けられた通信装置の配置概要を示す平面図である。実施の形態１ないし実施の形態１３と同一の構成には同一の符号を付して適宜説明を省略する。
【０１０７】
円盤状回転体１の平面１ｆは、電波を受信するアンテナ３０、アンテナ３０からの電波信号を処理する信号処理部３１、信号処理部３１での処理結果を表示する発光部３２、信号処理部３１に電力を供給する電源部３３を有する通信装置を備えている。
【０１０８】
アンテナ３０は、適宜のパターンを円盤状回転体1の外周側に形成してある。信号処理部３１は、電波信号を処理する高周波回路を含む高周波用集積回路チップで構成してあり、発光部３２を駆動する信号を出力する。発光部３２は、実施の形態１ないし実施の形態１２での発光部１１と同様の構成とすることが可能である。
【０１０９】
この構成とすることにより、外部からの電波信号を処理して、外部との通信を行うことができ、通信内容を表示することが可能な円盤状回転体1となる。なお、回転数検出器１７を並置して、信号処理部３１により、回転数に応じた制御を行うことも可能であることは言うまでもない。
【０１１０】
＜実施の形態１５＞
図１５は、本発明の実施の形態１５に係る円盤状回転体の一方の平面に設けられた通信装置の配置概要を示す平面図である。実施の形態１ないし実施の形態１４と同一の構成には同一の符号を付して適宜説明を省略する。
【０１１１】
円盤状回転体１の平面１ｆは、電波を受信するアンテナ３０、アンテナ３０からの電波信号を処理する信号処理部３１、信号処理部３１での処理結果を表示する液晶表示部３４、信号処理部３１に電力を供給する電源部３３を有する通信装置を備えている。
【０１１２】
アンテナ３０は、適宜のパターンを円盤状回転体1の外周側に形成してある。信号処理部３１は、電波信号を処理する高周波回路を含む高周波用集積回路チップで構成してあり、液晶表示部３４を駆動する信号を出力する。
【０１１３】
液晶表示部３４は、回転孔１ｈの周囲に円形状に形成してあり、処理結果をピット情報として表示する構成としてある。これにより、外部からピット情報を読み取ることが可能となり、外部からの電波信号を処理して、外部との通信を行うことができ、通信内容を表示することが可能な円盤状回転体1となる。なお、液晶表示部３４は、実施の形態１３での液晶表示部３４と同様の構成とすることも可能である。
【０１１４】
＜実施の形態１６＞
図１６は、本発明の実施の形態１６に係る円盤状回転体の一方の平面に設けられた電源部の配置概要を示す平面図である。実施の形態１ないし実施の形態１５と同一の構成には同一の符号を付して適宜説明を省略する。
【０１１５】
本実施の形態では、電源部１２、２６、３３へ電力を供給する起電力手段として、円盤状回転体１の回転により、誘導起電力を発生する誘導コイル１４ｃを回転孔１ｈの周囲に同心円状に形成してある。誘導コイル１４ｃに対応させて回転駆動装置にコイルを実装しておくことにより、円盤状回転体１の回転にしたがって誘導コイル１４ｃに誘導起電力が発生することとなる。
【０１１６】
誘導コイル１４ｃは、平面的な配線パターンにより容易に形成することが可能であり、電源部１２、２６、３３へ誘導起電力を安定して供給することができる。なお、図面の簡易さを考慮して他の構成は図示を省略してある。
【０１１７】
誘導コイル１４ｃが発生する誘導起電力は、円盤状回転体１の回転に伴って発生することから、回転駆動装置（不図示）に円盤状回転体１を装着して駆動することにより、電源部１２、３３が電源として作用することになるので、発光装置、液晶表示装置、通信装置を自動的に立ち上げることが可能となる。
【０１１８】
＜実施の形態１７＞
図１７は、本発明の実施の形態１７に係る回転可視装置の概要を示す斜視図である。実施の形態１ないし実施の形態１６と同一の構成には同一の符号を付して適宜説明を省略する。
【０１１９】
回転可視装置５０は、円盤状回転体１を回転駆動する回転駆動装置５１を備え、円盤状回転体１の平面１ｆが視認可能なように装着する構成としてある。円盤状回転体１の平面１ｆが視認可能であることから、平面１ｆに実装した発光装置（実施の形態１ないし実施の形態１２参照。ここではライン状ユニット１５（１５Ｒ、１５Ｇ、１５Ｂ）を示している）、液晶表示装置（実施の形態１３参照）、または通信装置（実施の形態１４、実施の形態１５参照）による発光（照明）または表示が可能となる。
【０１２０】
＜実施の形態１８＞
図１８は、本発明の実施の形態１８に係る再生装置の概要を示す斜視図であり、（Ａ）は据え置き型で照明光源として機能させた場合を示し、（Ｂ）は携帯型で情報表示させた場合を示す。実施の形態１ないし実施の形態１７と同一の構成には同一の符号を付して適宜説明を省略する。
【０１２１】
再生装置５５は、操作部５６と円盤状回転体１をセットするセット部５７を備えてあり、情報を光学的に読み取ることができる光学層（不図示）が設けてある光ディスク（円盤状回転体１）を回転して光学層に記録してある情報を再生する構成としてある。
【０１２２】
本実施の形態は、再生装置５５を用いて行うことが可能な情報を再生する再生方法である。つまり、情報を光学的に読み取ることができる光学層が設けてある円盤状回転体１を回転して光学層に記録してある情報を再生する再生方法であり、円盤状回転体１の情報を再生するときに一方の平面１ｆに情報の内容を表示する再生方法である。
【０１２３】
セット部５７は、外部から円盤状回転体１の平面１ｆが視認可能な構成としてあり、平面１ｆを用いて発光、表示を行う構成としてある。
【０１２４】
外部から円盤状回転体１の平面１ｆが視認可能な構成としてあることから、円盤状回転体１を再生しているときに、平面１ｆを発光（照明）面、表示面として機能させることが可能となる。また、円盤状回転体１が通信装置を備えている場合には、適宜外部との通信を行うことが可能となり、併せて通信中の内容を適宜表示することが可能となる。
【０１２５】
同図（Ａ）では、照明光源としている場合を示し、同図（Ｂ）では、再生している情報の内容を表示している場合を示す。特に表示面として利用する場合には、光ディスクとしてのＤＶＤでは再生チャプタ名、ＣＤでは曲名など光学層に記録してある情報の内容（再生内容）を表示することが可能となり、再生装置５５では、内容を表示するために従来別途必要であった通常のディスプレイが不要になる。
【図面の簡単な説明】
【０１２６】
【図１】本発明の実施の形態１に係る円盤状回転体の一方の平面に設けられた発光装置の配置概要を示す平面図である。
【図２】本発明の実施の形態２に係る円盤状回転体の一方の平面に設けられた発光装置の配置概要を示す平面図である。
【図３】本発明の実施の形態３に係る円盤状回転体の一方の平面に設けられた発光装置の配置概要を示す平面図である。
【図４】本発明の実施の形態４に係る円盤状回転体の一方の平面に設けられた発光装置の配置概要を示す平面図である。
【図５】本発明の実施の形態５に係る円盤状回転体の一方の平面に設けられた発光装置の配置概要を示す平面図である。
【図６】本発明の実施の形態６に係る円盤状回転体の一方の平面に設けられた発光装置の配置概要を示す平面図である。
【図７】本発明の実施の形態７に係る円盤状回転体の一方の平面に設けられた発光装置の配置概要を示す平面図である。
【図８】本発明の実施の形態８に係る円盤状回転体の一方の平面に設けられた発光装置の配置概要を示す平面図である。
【図９】本発明の実施の形態９に係る円盤状回転体の一方の平面に設けられた発光装置の配置概要を示す平面図である。
【図１０】図９で示した円盤状回転体での発光を残像効果が生じるように制御部により制御して所望のパターンを表示する本発明の実施の形態１０に係る説明図である。
【図１１】図９で示した円盤状回転体での発光を回転数に応じて発光させるように制御部および回転数検出器により制御して所望のパターンを表示する本発明の実施の形態１１に係る説明図であり、（Ａ）は検出した回転数が３６００ｒｐｍの場合、（Ｂ）は検出した回転数が７２００ｒｐｍの場合を示している。
【図１２】本発明の実施の形態１２に係る円盤状回転体の一方の平面に設けられた発光装置の配置概要を示す平面図である。
【図１３】本発明の実施の形態１３に係る円盤状回転体の一方の平面に設けられた液晶表示装置の配置概要を示す平面図である。
【図１４】本発明の実施の形態１４に係る円盤状回転体の一方の平面に設けられた通信装置の配置概要を示す平面図である。
【図１５】本発明の実施の形態１５に係る円盤状回転体の一方の平面に設けられた通信装置の配置概要を示す平面図である。
【図１６】本発明の実施の形態１６に係る円盤状回転体の一方の平面に設けられた電源部の配置概要を示す平面図である。
【図１７】本発明の実施の形態１７に係る回転可視装置の概要を示す斜視図である。
【図１８】本発明の実施の形態１８に係る再生装置の概要を示す斜視図であり、（Ａ）は据え置き型で照明光源として機能させた場合を示し、（Ｂ）は携帯型で情報表示させた場合を示す。
【符号の説明】
【０１２７】
１  円盤状回転体
１ｈ  回転孔
１ｆ  平面
１１  発光部
１２  電源部
１３  半導体発光素子
１３Ｒ  赤色半導体発光素子
１３Ｇ  緑色半導体発光素子
１３Ｂ  青色半導体発光素子
１４ｃ  誘導コイル
１４ｓ  太陽電池
１５  ライン状ユニット
１５Ｒ  赤色ライン状ユニット
１５Ｇ  緑色ライン状ユニット
１５Ｂ  青色ライン状ユニット
１６  制御部
１７  回転数検出器
２０  半導体レーザ
２１  拡散板
２２  レーザユニット
２５  液晶表示部
２６  電源部
２７  制御部
３０  アンテナ
３１  信号処理部
３２  発光部
３３  電源部
３４  液晶表示部
５０  回転可視装置
５１  回転駆動装置
５５  再生装置
５７  セット部
【図１】
2006309894.tif 000003
【図２】
2006309894.tif 000004
【図３】
2006309894.tif 000005
【図４】
2006309894.tif 000006
【図５】
2006309894.tif 000007
【図６】
2006309894.tif 000008
【図７】
2006309894.tif 000009
【図８】
2006309894.tif 000010
【図９】
2006309894.tif 000011
【図１０】
2006309894.tif 000012
【図１１】
2006309894.tif 000013
【図１２】
2006309894.tif 000014
【図１３】
2006309894.tif 000015
【図１４】
2006309894.tif 000016
【図１５】
2006309894.tif 000017
【図１６】
2006309894.tif 000018
【図１７】
2006309894.tif 000019
【図１８】
2006309894.tif 000020